(57)【特許請求の範囲】
【請求項１】
嫌気槽内に鉛直に設置されて前記嫌気槽内の濾材を支持するとともに、上端部が前記嫌気槽内の上フレームに支持され、下端部が前記嫌気槽内の下フレームに支持される支柱を備えた嫌気槽処理装置において、
前記支柱は、
該支柱の下部に嵌め込まれて、前記下フレームに形成された孔に差し込まれる第１固定部材と、
前記上フレームに形成された孔に上側から差し込まれて、前記支柱の上端部に嵌め込まれる第２固定部材と、
によって前記上フレーム及び前記下フレームに固定されることを特徴とする嫌気槽処理装置
【請求項２】
前記支柱の上端部と前記上フレームとの間には、所定の隙間が形成されることを特徴とする請求項１記載の嫌気槽処理装置。
【請求項３】
前記支柱は、複数本毎に整流板によって囲まれることを特徴とする請求項１又は２記載の嫌気槽処理装置。
【発明の詳細な説明】
【０００１】
【発明の属する技術分野】
本発明は嫌気槽処理装置に係り、特に、嫌気槽内の濾材を支持する支柱が、上フレーム及び下フレームに固定される嫌気槽処理装置に関する。
【０００２】
【従来の技術】
固定生物膜法を用いた嫌気槽処理装置では、プラスチック等からなる濾材が嫌気槽の内部に充填されており、この濾材に嫌気性菌が支持される。例えば、嫌気槽の内部には、皿状に形成された多数の濾材（以下、皿状濾材）が水平に設けられている。皿状濾材が設けられた嫌気槽には、被処理水が上向流で流され、これによって、被処理水が生物処理される。
【０００３】
ところで、皿状濾材は複数個ごとに、鉛直に配置された支柱によって支持されている。この支柱の上端部は、嫌気槽内の上フレームに固定され、支柱の下端部は、嫌気槽内の下フレームに固定される。
【０００４】
【発明が解決しようとする課題】
しかしながら、従来は、溶接によって支柱を上フレーム及び下フレームに固定していたので、支柱を簡単に固定できず、支柱の固定作業に多大な時間を費やしていた。
【０００５】
また、ねじや割りピン等を用いて支柱を上フレーム及び下フレームに固定する方法もあるが、この場合にも、支柱の固定作業の効率を大幅に改善することができなかった。
【０００６】
本発明はこのような事情に鑑みて成されたもので、支柱を効率良く固定することのできる嫌気槽処理装置を提供することを目的とする。
【０００７】
【課題を解決するための手段】
請求項１記載の発明は前記目的を達成するために、嫌気槽内に鉛直に設置されて前記嫌気槽内の濾材を支持するとともに、上端部が前記嫌気槽内の上フレームに支持され、下端部が前記嫌気槽内の下フレームに支持される支柱を備えた嫌気槽処理装置において、前記支柱は、該支柱の下部に嵌め込まれて、前記下フレームに形成された孔に差し込まれる第１固定部材と、前記上フレームに形成された孔に上側から差し込まれて、前記支柱の上端部に嵌め込まれる第２固定部材と、によって前記上フレーム及び前記下フレームに固定されることを特徴としている。
【０００８】
請求項１記載の発明によれば、第１固定部材を支柱の下端部に嵌め込んで下フレームの孔に差し込み、第２固定部材を上フレームの孔に差し込んで支柱の上端部に嵌め込むようにしたので、支柱を簡単に固定することができる。したがって、溶接の必要がなく、また、ねじや割りピン等が不要になるので、支柱の固定作業を効率良く行うことができる。
【０００９】
請求項２記載の発明によれば、支柱の上端部と上フレームとの間に所定の隙間を設けたので、支柱が伸長した場合であっても支柱が損傷しない。
【００１０】
請求項３記載の発明によれば、支柱が複数本ごとに整流板によって囲まれているので、被処理水が偏って流れることを防止できる。
【００１１】
【発明の実施の形態】
以下添付図面に従って、本発明に係る嫌気槽処理装置の好ましい実施の形態について詳説する。
【００１２】
図１に示すように、嫌気槽１０の中央位置には、供給管１２が鉛直に支持されている。供給管１２の上端部は、不図示の流入水路に連通されており、流入水路から被処理水（不図示）が供給される。供給管１２の下端部は、嫌気槽１０の下部のホッパ部１０Ａで開口され、この開口の下方には分散板１４が設けられる。したがって、供給管１２の下端部から下方に噴き出された被処理水は、分散板１４によって方向転換され、上向流を形成する。上向流で上昇する被処理水は、濾材ブロック１６、１６、…の内部を通過し、嫌気槽１０の上部に設けられた樋部１８に流出する。樋部１８は、嫌気槽１０の内壁に形成されており、不図示の送液管を介して前記好気槽に連通される。これにより、嫌気槽１０内の被処理水の一部が好気槽に戻される。なお、図１の符号２０は、ウェアプレートであり、三角形状の突出部が連続して形成されている。被処理水は、このウェアプレート２０の突出部の隙間から樋部１８に流れる。また、ホッパ部１０Ａに沈殿した汚泥は、ホッパ部１０Ａの下端に連通した引き抜き管（不図示）から引き抜かれる。
【００１３】
濾材ブロック１６は、略立方体状に形成されており、濾材受け台２２の上に複数段に積まれている。
【００１４】
図２は、濾材ブロック１６の構造を示す斜視図である。
【００１５】
同図に示すように、濾材ブロック１６は、ステンレス製のＬ字鋼によって形成された外枠フレーム２４、下フレーム２６、２６、…、及び上フレーム２８、２８、…を備えている。外枠フレーム２４は、略立方体状に形成され、外枠フレーム２４の下面に複数本の下フレーム２６、２６、…が水平に掛けられている。上フレーム２８、２８、…は、下フレーム２６の上方に、且つ下フレーム２６と平行に配設される。
【００１６】
下フレーム２６と上フレーム２８の間には、多数本の支柱３０、３０、…が設けられている。各支柱３０は、プラスチックによって円筒状に形成されており、鉛直に配設されている。各支柱３０には、複数個の皿状濾材３２、３２、…が水平に取り付けられている。
【００１７】
皿状濾材３２は、プラスチック等から成り、図３及び図４に示すように、円盤状の底部３２Ａと、底部３２Ａの外周部に斜めに立設された縁部３２Ｂとによって皿状に形成される。被処理水中の嫌気性菌は、この皿状濾材３２に支持される。
【００１８】
また、皿状濾材３２は、図２に示したように、隣り合う支柱３０に支持された皿状濾材３２と高さ方向にずらして配置されるとともに、上面（或いは下面）から見た際に隙間ができないように重ねて配置される。これにより、被処理水が直線的に上昇することが防止され、被処理水が皿状濾材３２に効果的に接触して生物処理される。
【００１９】
外枠フレーム２４の側面には、嫌気槽１０の内部を４つの区画に均等に仕切るための整流板３４が取り付けられている。これにより、被処理水が嫌気槽１０の内部を偏って流れることが防止される。
【００２０】
次に支柱３０及び皿状濾材３２の組み付け構造について説明する。
【００２１】
図３に示す如く、上フレーム２８には、孔２８Ａが形成され、下フレーム２６には、孔２６Ａが形成されている。支柱３０は、下フレーム２６の孔２６Ａに下部受栓（第１固定部材に相当）３６を介して取り付けられ、上フレーム２８の孔２８Ａに上部受栓（第２固定部材に相当）３８を介して取り付けられる。
【００２２】
下部受栓３６は、下フレーム２６の孔２６Ａよりも若干小さい外径の小径部３６Ａと、孔２６Ａよりも大きい外径の大径部３６Ｂとからなり、小径部３６Ａと大径部３６Ｂとの間には段差部３６Ｃが形成される。したがって、下部受栓３６の小径部３６Ａを下フレーム２６の孔２６Ａに上方から差し込むと、段差部３６Ｃが下フレーム２６に当接して係合される。大径部３６Ｂは筒状に形成されており、支柱３０の下端部３０Ａを嵌入できるようになっている。したがって、支柱３０の下端部３０Ａに下部受栓３６の大径部３６Ｂを嵌め込み、この下部受栓３６の小径部３６Ａを下フレーム２６の孔２６Ａに上方から挿入することによって、支柱３０の下端部３０Ａが下フレーム２６に係合支持される。
【００２３】
上部受栓３８は、上フレーム２８の孔２８Ａに挿入可能な大きさに形成され、基端部には、孔２８Ａよりも大きいフランジ３８Ａが形成されている。したがって、上フレーム２８の孔２８Ａに上部受栓３８を上方から挿入すると、フランジ３８Ａが上フレーム２８に当接されて係合される。上部受栓３８の先端部３８Ｂは、支柱３０の上端部３０Ｂに嵌入される大きさに形成される。したがって、上部受栓３８を上フレーム２８の孔２８Ａに上方から挿入して支柱３０の上端部３０Ｂに嵌入させることによって、支柱３０の上端部３０Ｂが上フレーム２８に支持される。
【００２４】
支柱３０は、下フレーム２６と上フレーム２８との間隔よりも短い長さに形成されており、支柱３０を下フレーム２６と上フレーム２８との間に組み付けた際に、図３に示す如く、隙間Ｈが形成される。
【００２５】
一方、皿状濾材３２は、支柱３０に挿通されるともに、筒状に形成されたスペーサ４０によって所定の間隔に保持されている。即ち、支柱３０には、スペーサ４０と皿状濾材３２が交互に挿入され、皿状濾材３２は、このスペーサ４０によって支持される。
【００２６】
最上段の皿状濾材３２が挿入された支柱３０には、固定リング４２が嵌め込まれる。固定リング４２は、図４に示したように、切り割り部４２Ａを備えており、支柱３０に嵌め込むことができるようになっている。固定リング４２は、支柱３０の表面に接着剤を塗布した後、支柱３０に嵌め込まれる。これにより、固定リング４２が支柱３０に固定され、各皿状濾材３２が支柱３０の軸方向に固定される。
【００２７】
次に上記の如く構成された支柱３０の組み付け方法について説明する。
【００２８】
まず、支柱３０の下端部３０Ａに下部受栓３６を嵌め込む。
【００２９】
次に、支柱３０の上端部３０Ｂからスペーサ４０と皿状濾材３２を交互に挿入する。これにより、皿状濾材３２は、スペーサ４０によって支持され、スペーサ４０の長さ間隔で保持される。
【００３０】
最上段の皿状濾材３２を挿入した後、支柱３０の表面の一部に接着剤（不図示）を塗布し、図４に示す如く、固定リング４２を支柱３０に嵌め込む。これにより、固定リング４２が支柱３０に接着され、皿状濾材３２、３２、…が支柱３０に固定される。
【００３１】
次に、図５に示す如く、下部受栓３６を下フレーム２６の孔２６Ａに上方から挿入する。これにより、下部受栓３６の段差部３６Ｃが下フレーム２６に係合され、支柱３０が下フレーム２６に支持される。
【００３２】
次に、図６に示す如く、上部受栓３８を上フレーム２８の孔２８Ａに上方から挿入し、上部受栓３８の先端３８Ｂを支柱３０の上端部３０Ｂに嵌入させる。これにより、図３に示す如く、支柱３０が、上フレーム２８及び下フレーム２６に固定される。
【００３３】
このように本実施の形態によれば、差し込み式の下部受栓３６及び上部受栓３８によって、支柱３０を下フレーム２６、及び上フレーム２８に固定することができる。したがって、溶接等をする必要がなく、また、ねじや割りピン等も不要になるので、支柱３０を効率よく固定することができる。
【００３４】
また、本実施の形態によれば、支柱３０の上端部３０Ｂと上フレーム２８との間に所定の隙間Ｈが設けられているので、被処理水の温度変化等によって支柱３０が伸縮しても支柱３０が破損しない。
【００３５】
また、嫌気槽１０の内部を４つの区画に均等に仕切る整流板３４を設けたので、被処理水が嫌気槽１０の内部を偏って流れることを防止できる。
【００３６】
さらに、上述した皿状濾材３２の組み付け方法によれば、固定リング４２を支柱３０に固定するだけで、複数の皿状濾材３２、３２、…を同時に支柱３０に固定することができる。したがって、皿状濾材３２の組み付け作業も効率良く行うことができる。
【００３７】
【発明の効果】
以上説明したように本発明に係る嫌気槽処理装置によれば、第１固定部材を支柱の下端部に嵌め込んで下フレームの孔に差し込み、第２固定部材を上フレームの孔に差し込んで支柱の上端部に嵌め込むことによって、支柱を固定するようにしたので、支柱の固定作業を効率良く行うことができる。
【図面の簡単な説明】
【図１】本発明に係る嫌気槽処理装置の嫌気槽の構造を示す斜視図
【図２】濾材ブロックを示す斜視図
【図３】支柱及び皿状濾材の組み付け構造を示す側面断面図
【図４】皿状濾材を示す斜視図
【図５】下部受栓の組み付け方法を示す斜視図
【図６】上部受栓の組み付け方法を示す斜視図
【符号の説明】
１０…嫌気槽、１２…供給管、１６…濾材ブロック、２６…下フレーム、２６Ａ…孔、２８…上フレーム、２８Ａ…孔、３０…支柱、３２…皿状濾材、３４…整流板、３６…下部受栓、３８…上部受栓、４０…スペーサ、４２…固定リング
【図１】
0004337020.tif 000002
【図２】
0004337020.tif 000003
【図３】
0004337020.tif 000004
【図４】
0004337020.tif 000005
【図５】
0004337020.tif 000006
【図６】
0004337020.tif 000007